(57)【特許請求の範囲】
【請求項１】
浴室の天井に設置される本体部と、その本体部の浴室内に面する側に配置されかつ吸気口と吹き出し口とが並設されたグリル板とが備えられ、
前記本体部が、前記吸気口を通して前記浴室内の空気を吸引して前記吹き出し口を通して空気を吹き出すための循環通風路、その循環通風路を通風される空気を加熱作用する加熱手段、及び、前記循環通風路に対して通風作用して、浴室内の空気を吸引して前記加熱手段により加熱して浴室内に吹き出すように循環通風するファンユニットを内部に備える本体ケーシングを備えて構成され、
前記ファンユニットが、通風作用するファン本体と、そのファン本体の外方側を覆い且つファン本体にて通風作用される通風路を形成するファンケーシングと、前記ファン本体を回転駆動する電動モータとを備えて構成され、且つ、前記本体ケーシングに着脱自在に構成されている浴室暖房機であって、
前記ファンケーシングが、前記ファン本体及び前記電動モータを前記本体ケーシングに保持した状態で、前記本体ケーシングに着脱自在に構成され、
前記ファン本体及び前記電動モータが、前記ファンケーシングが前記本体ケーシングから取り外された状態で、前記本体ケーシングに着脱自在に構成され、
前記電動モータが、前記ファン本体の回転軸芯方向の一端側に備えられた回転軸に対して連結する状態で設けられ、
前記本体ケーシングに、前記ファン本体の回転軸芯方向の他端側に備えられた回転軸を、前記回転軸芯方向に沿って挿脱可能な状態で支持する軸受け部、及び、前記ファン本体の回転軸芯方向の一端側に備えられた軸受部材を保持するための半円筒状の軸受け用凹部が設けられ、
前記ファン本体の回転軸芯方向の他端側に備えられた前記回転軸が前記軸受け部に挿入されかつ前記ファン本体の回転軸芯方向の一端側に備えられた前記軸受部材が前記軸受け用凹部内に位置された状態において、前記ファン本体の回転軸芯方向の一端側に備えられた前記軸受部材を前記本体ケーシングに対して仮止め保持するとともに、指操作にてその保持状態を解除可能な保持具が設けられ、
前記ファンケーシングが、前記本体ケーシングに取り付けた状態において、前記保持具と前記軸受け用凹部との間にて前記軸受け部材を挟持するように、前記保持具を押圧する固定支持部を備えるように構成され、
前記保持具が、前記軸受け用凹部内に位置する前記軸受け部材の外周部を保持し且つ前記ファンケーシングの前記固定支持部にて押圧される半円筒状の軸押え部、及び、その軸押え部の左右両側部から延設され且つ前記本体ケーシングにおける前記軸受け用凹部の左右両側に形成された一対の挿通孔に入り込み自在な一対の係止部を備えるように構成され、
前記一対の係止部が、前記一対の挿通孔に入り込みかつ互いが離れる側に弾性変形した状態において、前記挿通孔の端縁部に係止して抜け外れを阻止する係止突起を備え、且つ、指操作にて互いが接近する側に弾性変形操作されることにより、前記係止突起による前記挿通孔の端縁部に対する係止を解除自在に構成されている浴室暖房機。
【発明の詳細な説明】
【０００１】
【発明の属する技術分野】
本発明は、回転駆動されて通風作用するファン本体と、そのファン本体の外方側を覆い、且つ、ファン本体にて通風作用される通風路を形成するファンケーシングと、前記ファン本体を回転駆動する電動モータとを備えて構成されるファンユニットが、本体ケーシングに着脱自在に備えられ、前記ファンユニットによって、浴室内の空気を吸引して加熱手段により加熱して浴室内に吹き出すように循環通風するように構成されている浴室暖房機に関する。
【０００２】
【従来の技術】
上記構成の浴室暖房機は、浴室を暖房するために浴室内の空気を循環通風するファンユニットを、本体ケーシングに着脱自在に備えることで、ファン本体や電動モータに異常が発生してそれらを修理交換する必要がある場合、あるいは、定期的に点検を行うような場合に、ファンユニットを取り外して上述したようなメンテナンス作業を行うことができるようにしたものであるが、このような構成の浴室暖房機において、従来では、前記ファンケーシングによって前記ファン本体にて通風作用される前記通風路の全てが形成されるとともに、そのファンケーシングの内部に、前記ファン本体と電動モータとを回転駆動可能に連結された状態で収納するようにして、前記通風路の全てを形成する通風路形成部分やファン本体と電動モータとを支持する支持部分等が板金材にて一体的に形成されて、前記ファンユニットを構成するようにしたものがあった。
【０００３】
【発明が解決しようとする課題】
上記従来構成においては、ファン本体や電動モータに対する上記したようなメンテナンス作業を行う場合に、ファンユニットを本体ケーシングに対して着脱するときには、前記通風路の全てを形成する通風路形成部やファン本体と電動モータとを支持する支持部等が板金材にて一体的に形成されているファンケーシングを、前記ファン本体と電動モータとをその内部に装着した状態で着脱作業を行う必要があるので、次のような不利な面があり改善が望まれていた。
【０００４】
つまり、前記ファンケーシングは前記通風路の全てを一体的に形成するためにそれだけ形状が大型になるとともに板金材で構成されることから、それだけファンケーシング自体の重量が大になり、ファンユニット全体の重量も大になることから、本体ケーシングに対する着脱作業を行うときのメンテナンス作業者に対する作業負担が大になる不利がある。又、ファンケーシングは前記通風路の全てを形成する構成であるから、ファン本体と電動モータとの外周部全体を覆う構成となっており、ファンユニットを取り外した後において、ファン本体や電動モータに対する点検等のメンテナンス作業を実行するときに、ファンケーシングを分解してファン本体や電動モータを露出させる必要があり、その点でも作業負担が大になる不利があった。
特に、このような浴室暖房機が浴室の天井に設置されるような場合、浴室内部から上記したようなメンテナンス作業を行う場合、作業者は、天井に向かう姿勢でファンユニットの着脱作業を行う必要があるがこの作業は行い難く上記作業負担が大になるものであった。
【０００５】
本発明はかかる点に着目してなされたものであり、その目的は、メンテナンス作業等のためにファンユニットを着脱させるときの作業負担を軽減することが可能となる浴室暖房機を提供する点にある。
【０００６】
【課題を解決するための手段】
請求項１に記載の特徴構成によれば、浴室の天井に設置される本体部と、その本体部の浴室内に面する側に配置されかつ吸気口と吹き出し口とが並設されたグリル板とが備えられ、
前記本体部が、前記吸気口を通して前記浴室内の空気を吸引して前記吹き出し口を通して空気を吹き出すための循環通風路、その循環通風路を通風される空気を加熱作用する加熱手段、及び、前記循環通風路に対して通風作用して、浴室内の空気を吸引して前記加熱手段により加熱して浴室内に吹き出すように循環通風するファンユニットを内部に備える本体ケーシングを備えて構成され、
前記ファンユニットが、通風作用するファン本体と、そのファン本体の外方側を覆い且つファン本体にて通風作用される通風路を形成するファンケーシングと、前記ファン本体を回転駆動する電動モータとを備えて構成され、且つ、前記本体ケーシングに着脱自在に構成されている浴室暖房機であって、
前記ファンケーシングが、前記ファン本体及び前記電動モータを前記本体ケーシングに保持した状態で、前記本体ケーシングに着脱自在に構成され、
前記ファン本体及び前記電動モータが、前記ファンケーシングが前記本体ケーシングから取り外された状態で、前記本体ケーシングに着脱自在に構成され、
前記電動モータが、前記ファン本体の回転軸芯方向の一端側に備えられた回転軸に対して連結する状態で設けられ、
前記本体ケーシングに、前記ファン本体の回転軸芯方向の他端側に備えられた回転軸を、前記回転軸芯方向に沿って挿脱可能な状態で支持する軸受け部、及び、前記ファン本体の回転軸芯方向の一端側に備えられた軸受部材を保持するための半円筒状の軸受け用凹部が設けられ、
前記ファン本体の回転軸芯方向の他端側に備えられた前記回転軸が前記軸受け部に挿入されかつ前記ファン本体の回転軸芯方向の一端側に備えられた前記軸受部材が前記軸受け用凹部内に位置された状態において、前記ファン本体の回転軸芯方向の一端側に備えられた前記軸受部材を前記本体ケーシングに対して仮止め保持するとともに、指操作にてその保持状態を解除可能な保持具が設けられ、
前記ファンケーシングが、前記本体ケーシングに取り付けた状態において、前記保持具と前記軸受け用凹部との間にて前記軸受け部材を挟持するように、前記保持具を押圧する固定支持部を備えるように構成され、
前記保持具が、前記軸受け用凹部内に位置する前記軸受け部材の外周部を保持し且つ前記ファンケーシングの前記固定支持部にて押圧される半円筒状の軸押え部、及び、その軸押え部の左右両側部から延設され且つ前記本体ケーシングにおける前記軸受け用凹部の左右両側に形成された一対の挿通孔に入り込み自在な一対の係止部を備えるように構成され、
前記一対の係止部が、前記一対の挿通孔に入り込みかつ互いが離れる側に弾性変形した状態において、前記挿通孔の端縁部に係止して抜け外れを阻止する係止突起を備え、且つ、指操作にて互いが接近する側に弾性変形操作されることにより、前記係止突起による前記挿通孔の端縁部に対する係止を解除自在に構成されている。
【００１１】
請求項１に記載の特徴構成によれば、ファンユニットを本体ケーシングに対して着脱させる場合、前記ファンケーシングを単独で本体ケーシングに対して着脱させるとともに、前記ファン本体及び前記電動モータをファンケーシングとは別に本体ケーシングに対して着脱させることができるので、例えば、ファンケーシング、ファン本体及び電動モータの夫々が一体的に組み付けられた状態でのみ着脱させるような構成に比べて、着脱作業を行う部材が小型軽量となり、更に作業が楽に行えるものとなる。
【００１３】
前記ファンケーシングが本体ケーシングから取り外されている状態で、ファン本体及び電動モータがファンケーシングから分離した状態で本体ケーシングに支持される場合、ファン本体の一端側の回転軸に対して電動モータが連結されている状態で、ファン本体の他端側が、本体ケーシングに一体形成された通風路形成部分に設けられた軸受け部に、回転軸芯方向に沿って挿脱可能な状態で支持され、且つ、ファン本体の一端側が保持具によって本体ケーシングに対して仮止め保持されることになる。
【００１４】
そして、ファン本体及び電動モータを本体ケーシングから取り外すとき、先ず、ファンケーシングを取り外して、一体的に連結されているファン本体及び電動モータを一方の手で支えながら他方の手により指操作にて保持部の保持状態を解除して、その保持状態を解除した後は、両手でファン本体及び電動モータを支えながら、軸受け部から抜き外して取り外すことができる。又、ファン本体及び電動モータを本体ケーシングに取付けるときは逆の手順で取付けることができる。つまり、両手でファン本体及び電動モータを支えながら、ファン本体の他端側の回転軸を軸受け部に差し込み挿入して、ファン本体の一端側を保持具により本体ケーシングに対して仮止め保持した状態で、ファンケーシングを取付けることで対応できる。
【００１５】
従って、ファン本体及び電動モータを本体ケーシングに対して、一方を差し込み挿入するとともに、他方を指操作にて解除可能な保持具にて仮止め保持する構成とすることで、例えば、複数個所をネジ止めする等の保持構造に比べて作業の煩わしさがなく楽に作業が行えるものとなる。
【００１６】
【発明の実施の形態】
以下、本発明に係る浴室暖房機について図面に基づいて説明する。
この浴室暖房機は、図１、図３に示すように、浴室Ａ内を暖房する機能、浴室Ａ内を乾燥させる機能、浴室Ａ内の空気を循環通風させる機能、浴室Ａを換気する機能のそれぞれの機能を備えた浴室暖房乾燥ユニットＹと、この浴室暖房乾燥ユニットＹに温水などの熱媒を供給する熱源機Ｋなどが設けられ、これら浴室暖房乾燥ユニットＹと熱源機Ｋの動作情報を指令するリモコン操作部Ｒが、浴室暖房乾燥ユニットＹと熱源機Ｋの作動を制御する制御部Ｈに双方向に通信可能に接続されている。
【００１７】
前記浴室暖房乾燥ユニットＹは、図２、図３に示すように、浴室Ａの壁面部の一例としての天井１の開口部１ａに吊り下げ支持具２により吊り下げ支持されて設置されている。浴室Ａの天井に入り込ませた状態で設置される本体部３と、その本体部３の前記浴室Ａ内に面する側に配置されて吸気口４と吹き出し口５とを並設して備えるグリル板６とを備えて構成されている。具体的には、本体部３は、本体ケーシング３ａ内に、吸気口４を通して浴室Ａ内の空気を吸引して吹き出し口５を通して空気を吹き出すための循環通風路７、その循環通風路７に対して通風作用する循環ファン８、循環通風路７を通風される空気を加熱作用する加熱手段としての熱交換器９、熱交換器９への熱媒としての温水の供給を断続する熱動弁１０、吹き出し口５を通して吹き出される空気の吹き出し方向を変更自在な電動式の可動ルーバー１１、浴室Ａ内の空気を吸引して排気ダクト１２を通して屋外に排気する換気ファン１３、前記制御部Ｈや電源部等が備えられる電源ユニットＤ等を備えて構成されている。尚、前記本体ケーシング３ａは合成樹脂材にて一体成形にて構成されている。
【００１８】
前記循環ファン８は、詳細は後述するが、水平軸芯周りで回転して、空気の吸引と排気とを共に回転軸芯と直交する方向に沿って行うクロスフローファン形式のファン本体を備えて構成され、回転軸芯方向のほぼ全幅にわたる広い範囲にわたり熱交換器９を通して浴室内の空気を吸引して吹き出し口５から熱交換器９にて加熱された空気を浴室に吹き出すように通風作用する構成となっている。前記換気ファン１３は、縦軸芯周りで回転しながら、ファンケース１３ａの下側から空気を吸引して、本体ケーシング３ａの横一側面に形成した排出口１４を通して排気ダクト１２に向けて空気を通風させる構成となっている。
【００１９】
前記浴室暖房乾燥ユニットＹと熱源機Ｋなどの動作は、マイクロコンピュータを利用した制御部Ｈによって制御され、その制御部Ｈに双方向に通信可能なリモコン操作部Ｒは、浴室Ａに隣接する脱衣室や台所などに設けられている。
そして、このリモコン操作部Ｒには、図４に示すように、浴室暖房乾燥ユニットＹや熱源機Ｋの作動を停止させる運転停止スイッチ１５、暖房運転モードを指令する暖房運転スイッチ１６、換気運転モードを指令する換気運転スイッチ１７、乾燥運転モードを指令する乾燥運転スイッチ１８、涼風運転モードを指令する涼風運転スイッチ１９などが設けられている。
【００２０】
前記制御部Ｈは、運転停止スイッチ１５がＯＮ操作されると運転を停止し、後述する各運転モードの指令に伴って各運転を実行するように構成されている。
つまり、暖房運転スイッチ１６がＯＮ操作されて暖房運転モードが指令されると暖房運転を実行する。前記暖房運転モードにおいては、換気ファン１３を作動停止させて、循環ファン８を作動させるとともに、浴室Ａ内の温度が予め設定されている乾燥用の設定温度範囲に維持されるように、熱動弁１０の開閉を制御して熱交換器９に熱媒としての温水を循環供給し、熱交換器９により加熱された循環空気を吹き出し口５から吹き出す暖房運転を実行する。又、浴室内に戻される空気の吹出し方向が予め暖房用の向きとして設定される方向、例えば、浴室の洗い場側に向くよう斜め下向きの方向になるように、電動モータにて可動ルーバー１１の向きを変更する。暖房運転が指令されてか設定時間が経過するか、又は、運転停止スイッチ１５が操作されると、暖房運転を終了する。
【００２１】
換気運転スイッチ１７がＯＮ操作されて換気運転モードが指令されると、換気運転を実行し、前記換気運転モードにおいては、循環ファン８の作動を停止し且つ熱動弁１０を閉状態に維持した状態で、換気ファン１３を作動させて、浴室Ａ内から吸引した空気を排気する換気運転を実行する。このとき、循環ファン８の作動は停止しているので可動ルーバー１１の向きは閉状態になる。換気運転が指令されてから設定時間が経過するか、又は、運転停止スイッチ１５が操作されると、換気運転を終了する。
【００２２】
涼風運転スイッチ１９がＯＮ操作されて涼風運転モードが指令されると、涼風運転を実行する。前記涼風運転モードにおいては、熱動弁１０を閉状態に維持した状態で循環ファン８を作動させて、浴室Ａ内から吸引した空気を加熱することなく循環通風路７を通して浴室Ａ内に戻すとともに、換気ファン１３を作動させて浴室Ａ内から吸引した空気を排気する涼風運転を実行する。可動ルーバー１１の向きは、例えば暖房運転と同じに設定される。涼風運転が指令されてから設定時間が経過するか、又は、運転停止スイッチ１５が操作されると、涼風運転を終了する。
【００２３】
乾燥運転スイッチ１８がＯＮ操作されて乾燥運転モードが指令されると、乾燥運転を実行する。前記乾燥運転モードにおいては、循環ファン８を作動させるとともに、浴室Ａ内の温度が予め設定されている乾燥用の設定温度範囲に維持されるように、熱動弁１０の開閉を制御して熱交換器９に熱媒としての温水を循環供給し、熱交換器９により加熱された循環空気を吹き出し口５から吹き出し、一方、同時に換気ファン１３も作動させ、浴室Ａ内から吸引した空気を排気ダクト１２から屋外に排出させる乾燥運転を実行する。そして、浴室内に戻される空気の吹出し方向が乾燥用吹出し方向、例えば、ほぼ真下向きの方向になるように、電動モータにて可動ルーバー１３の向きを変更する。乾燥運転が指令されてから設定時間が経過するか、又は、運転停止スイッチ１５が操作されると、乾燥運転を終了する。
【００２４】
そして、この浴室暖房機を浴室Ａの天井１に装着する場合、グリル板６と本体部３との間に浴室Ａの天井１を挟み込むように浴室暖房乾燥ユニットＹを設置する先付け設置方式にて行うことがある。この方式では、図２、図３に示すように、浴室Ａの天井１の開口部の裏側に本体部３を吊り下げ支持具２により吊り下げ支持させ、グリル板６と本体部３との間に天井１を挟み込んだ状態で、天井１の開口部１ａに４本のネジ部材２０を下方からグリル板６の取付穴２１を通して本体部３の取付部２２に挿入して取り付けるようにしている。
【００２５】
前記循環通風路７における吹き出し側部分が、グリル板６の本体部３に対する接近離間方向、すなわち、上下方向に沿って伸縮できるように構成され、その循環通風路７における吹き出し側先端部に可動ルーバー１１が配備される構成となっている。
詳述すると、前記循環通風路７における吹き出し側部分が、後述するように本体側に位置固定状態で設けられる基端側筒部２３と、この基端側筒部２３に対して別体で構成されて接続される先端側筒部２４とを備えて構成され、この先端側筒部２４における筒内部に前記可動ルーバー１１が備えられ、この可動ルーバー１１を向き変更操作するための電動モータ２５が先端側筒部２４の横一側箇所にこの先端側筒部２４と一体的に設けられている。図２及び図１４に示すように、前記先端側筒部２４は装着状態で上下方向に沿う通風経路を形成するように平面視で略長方形となる角筒状に構成され、その横一側部に本体部３の内部空間に対して周囲を囲う仕切壁２６により気密状に仕切られた収納空間内に電動モータ２５が収納される状態で設けられている。
【００２６】
前記可動ルーバー１１は、略矩形筒状に形成されるが、長手方向に沿う一対の側壁部１１ａ，１１ｂのうちの一方１１ａは幅狭に形成され、他方１１ｂが幅広に形成されて、通風作動が行われない運転停止状態においては、図１３に示すように、幅広の側壁部１１ｂが先端開口部を覆う状態で停止するように電動モータ２５の作動を制御するようになっている。
【００２７】
そして、浴室Ａの天井１の開口部１ａの裏側に本体部３が吊り下げ支持具１７により吊り下げ支持される設置状態に取付けられている状態で、グリル板６を装着するときに、先端側筒部２４が基端側筒部２３に対して上下方向、すなわちグリル板６に対する接近離間方向に相対移動を許容する状態で、落下するのを防止して仮止め支持するように構成されている。つまり、図１３、図１４に示すように、先端側筒部２４における風路を形成する長方形筒部の長手方向に対応する一対の壁部２４ａ，２４ｂのうちの一方２４ｂに、上下方向に沿って長い長孔２７が左右両側に適宜間隔をあけて一対形成されており、本体部３の基端側筒部２３において対応する箇所に横向き外方に向けて突出する状態で頭付き係合突起２８が形成されている。
前記各長孔２７は、その上部側箇所に前記頭付き係合突起２８の頭部２８ａが横向きに挿通可能な広幅部２７ａが形成され、それ以外の箇所では前記頭部２８ａの横向きの挿通は阻止するが係合突起２８の小径部分２８ｂの上下方向の移動を許容する幅に形成されている。つまり、前記各長孔２７における広幅部２７ａを通して前記各係合突起２８の頭部２８ａが挿通するように係合させて、自由状態では、各係合突起２８が各長孔２８の上端部に位置して、先端側筒部２４が基端側筒部２３に対して落下するのを防止して仮止め支持するように構成されるとともに、前記係合状態を維持しながら先端側筒部２４が前記長孔２７にて規定される所定範囲にわたり上方側にスライド移動させることが可能になるように構成されている。
【００２８】
そして、図１３（イ）に示すように仮止め支持されている先端側筒部２４における先端開口部を吹き出し口５に連なるように吹き出し口５の口縁部に係止させた状態で、グリル板６を上方移動させて、グリル板６を本体部３に取付けるように構成され（図１３（ロ）参照）、グリル板６を上方移動させるに伴って先端側筒部２４が押し移動されて位置調節されるように構成されている。尚、先端側筒部２４をスライド移動させながらグリル板６を上方移動させた後に、グリル板６を本体部３に対して適正組付位置にて前記４本のネジ部材２０で４個所をネジ止め固定するとともに、２本のネジ部材２９を下方からグリル板６の取付穴６ａを通して先端側筒部２４の長手方向両側部に形成した取付け部２４ｃに挿入して、先端側筒部２４をグリル板６に対する適正相対位置にて下方側から２個所でネジ止め固定するように構成されている（図１３（ハ）参照）。
従って、ネジ止め状態を解除すると、グリル板６を取り外して先端側筒部２４を容易に取り外すことができる構成となっている。
【００２９】
このように構成することにより、上記したような天井１の壁の厚さが異なる場合であっても、グリル板６の吹き出し口５と循環通風路７における吹き出し側部分とが常に隙間のない状態となるように先端側筒部２４の本体部３に対する位置を調節することができ、可動ルーバー１１により吹き出し方向を適正な状態で変更させることができる。
【００３０】
次に、前記循環ファン８の構成について説明する。
この循環ファン８は、回転駆動されて通風作用するファン本体３０と、そのファン本体３０の外方側を覆い、且つ、ファン本体３０にて通風作用される通風路を形成するファンケーシング３１と、ファン本体３０を回転駆動する電動モータ３２とを備えて構成されるファンユニット３３が、本体ケーシング３ａに着脱自在となるように構成されている。そして、合成樹脂材にて構成された本体ケーシング３ａに、ファン本体３０の外方側の一部を覆い、且つ、そのファン本体３０にて通風作用される通風路の一部を形成するための通風路形成部分が一体形成されて備えられ、本体ケーシング３ａに対して着脱自在に備えられる前記ファンケーシング３１が合成樹脂材にて構成されるとともに、前記通風路形成部分が覆う前記ファン本体３０の外方側の一部以外の他の部分を覆うとともに、前記通風路形成部分にて形成される前記通風路の一部以外の他の部分を形成するように構成されている。更には、前記ファン本体３０及び前記電動モータ３２を、前記ファンケーシング３１から分離した状態で前記本体ケーシング３ａに着脱自在に備えるように構成されている。
【００３１】
具体的に説明すると、図１０〜図１２に示すように、前記ファン本体３０は回転軸芯方向両側に回転軸３４，３５が突出する状態で設けられ、そのうち回転軸芯方向の一端側の回転軸３４に前記電動モータ３２の駆動軸が一体的に駆動回転可能な状態で連結され、電動モータ３２とファン本体３０とが連結された状態で、本体ケーシング３ａに対して着脱自在に装着されるように設けられている。
そして、図３におけるファン本体３０の上方側に位置する円弧状の上方側風路形成部分３６、ファン本体３０のモータ連結箇所とは反対側の回転軸３５を軸受け部材３７を介して回転自在に支持する本体側軸受け部３８、ファン本体３０のモータ連結側の回転軸３４を回転自在に支持するとともに、電動モータ３２を適正設置位置で収納支持するための本体側モータ支持部３９の夫が、本体ケーシング３ａに合成樹脂材にて一体成形される状態で形成されている。尚、前記本体側軸受け部３８に予め装着される軸受け部材３７に対して前記回転軸３５が軸芯方向に沿ってファン設置側から挿脱自在に差し込み装着可能な構成となっている。
【００３２】
前記本体側軸受け部３８の左右両側部には、ファンケーシング３１との接合用の合わせ面３８ａが形成されており、しかも、熱交換器９の対向する部分は、熱交換器９を斜め姿勢で保持するための傾斜支持部３８ｂが形成されている。
【００３３】
前記本体側モータ支持部３９は、略円筒状の電動モータ３２が安定的に設置位置にて収納されるように半円筒状のモータ収納用凹部３９ａが形成されている。又、そのモータ収納用凹部３９ａの周囲は、ファンケーシング３１との接合用の合わせ面３９ｂに構成され、そのうちのファン本体側の横側部に、電動モータ３２の駆動軸に予め外嵌装着される軸受け部材４１を保持するための半円筒状の軸受け用凹部３９ｃが形成され、モータ収納用凹部３９ａのファン本体側と反対側の横側部には、電動モータ３２に外側面に突出形成されている円弧状突出部４８が嵌め込み装着されるモータ支持用の凹部３９ｄが形成されている。そして、本体側モータ支持部３９における熱交換器９に対向する部分は、熱交換器９を斜め姿勢で保持するため傾斜支持部３９ｅが形成されている。
【００３４】
前記ファン本体３０の回転軸芯方向の一端側としてのモータ連結側個所、具体的には、前記軸受け部材４１の外周側を適正仮止め状態にて前記本体ケーシング３ａに対して仮止め保持するとともに、指操作にてその保持状態を解除可能な保持具４３が設けられている。この保持具４３は、合成樹脂材にて構成され、図８、図９、図１２に示すように、前記回転軸３４に予め外嵌装着される軸受け部材４１の外周部を、前記軸受け用凹部４２との協働によって仮止め位置に保持するための半円筒状の軸押え部４３ａを備えるとともに、その軸押え部４３ａの左右両側部から弾性変形可能に略Ｕ字状に形成された左右一対の係止部４３ｂ，４３ｂが延設されている。この係止部４３ｂ，４３ｂは、図９（イ）、（ロ）に示すように、前記本体側モータ支持部３９において前記軸受け用凹部４２の左右両側に形成された一対の挿通孔４４，４４に入り込み、その弾性変形力により係止突起４３ｃ，４３ｃがそれら挿通孔４４，４４の端縁部に係止して抜け外れを阻止することができるように構成されている。このようにして、前記ファン本体３０の回転軸芯方向の一端側としてのモータ連結側の個所を、適正仮止め状態にて前記本体ケーシング３ａに対して仮止め保持することができる。
そして、前記各係止部４３ｂ，４３ｂ夫々の下向き突出する遊端側部分同士をそれらが互いに近づくように指で握り操作することで、前記係止突起４３ｃ，４３ｃによる挿通孔４４、４４の端縁部に対する係止が解除されて、容易に抜き外すことができるように構成されており、前記各係止部４３ｂ，４３ｂを各挿通孔４４，４４に差し込むときは、弾性変形しながら係止突起４３ｃ，４３ｃが挿通孔４４，４４を乗り越えた後に手を離すと弾性変形力により自動的に抜け外れを阻止する係止状態になるのである。
尚、この仮止め状態では、軸受け部材４１と軸受け用凹部４２との間は僅かに隙間をもって融通が形成されるように設けられ、後述するファンケーシング３１の取り付けによって適正設置状態で位置固定されるようになっている。
【００３５】
前記ファンケーシング３１は、図１２に示すように、前記本体側モータ支持部３９に対し保持具４３にて保持されている電動モータ３２及びモータ側の回転軸３４の外周部のうち前記本体側モータ支持部３９にて覆われていない部分を覆うモータカバー部４５、前記本体側軸受け部３８に対応する部分を覆う軸受けカバー部４６、及び、本体側通風路形成部分３６にて形成される通風路の一部以外の他の部分としてのファン本体３０による吐き出し用の通風路を形成する角筒状の通風路形成部分４７の夫々が合成樹脂材にて一体成形される状態で設けられている。前記モータカバー部４５には、図１０に示すように、略円筒状の電動モータ３２が安定的に設置収納されるように半円筒状のモータ収納用凹部４５ａが形成され、そのモータ収納用凹部４５ａのファン本体側の横側部には、前記保持具４３を介して本体側の軸受け用凹部３９ｃの協働により軸受け部材４１を挟持して固定支持するための固定支持部４５ｂが形成され、又、モータ収納用凹部４５ａのファン本体側と反対側の横側部には、本体側のモータ支持用の凹部３９ｄとの間で電動モータ３２の円弧状突出部４８を挟持して固定支持するモータ支持部４５ｃが形成されている。更に、固定支持部４５ｂの左右両側部には、図８に示すように、保持具４３の係止部４３ｂ，４３ｂの遊端側が入り込む凹部４５ｄが形成されている。
【００３６】
そして、前記モータカバー部４５と本体側モータ支持部３９との間、及び、前記軸受けカバー部４６と前記本体側軸受け部３８と間の夫々において複数個所をネジ止め固定にて、ファンケーシング３１を本体ケーシング３ａとを取付け固定するように構成され、前記モータカバー部４５と本体側モータ支持部３９との間でのネジ止め固定によって、軸受け部材４１及び円弧状突出部４８とが夫々挟持保持されて電動モータ３２とファン本体３０とが適正設置状態に支持される構成となっている。
【００３７】
又、図５、図６、図７に示すように、前記ファンケーシング３１における前記モータカバー部４５及び前記軸受けカバー部４６には、前記熱交換器９の斜め下方側の左右両側個所をブラケット５０を介してネジ止め支持するためのネジ連結部５１，５１が設けられており、熱交換器９の斜め上方側の左右両側個所はブラケット５２，５２を介して本体ケーシング３ａに一体形成されているネジ連結部５３にてネジ止め固定される構成となっている。
【００３８】
前記本体側モータ支持部３９及びモータカバー部４５夫々の内方側の側壁部により熱交換器９の姿勢を規制するとともにファン本体３０による通風路の横側壁部を形成する構成となっており、前記軸受けカバー部４６及び前記本体側軸受け部３８においても同様に熱交換器９の姿勢を規制するとともにファン本体３０による通風路の横側壁部を形成する構成となっている。
従って、本体ケーシング３ａに一体形成された上方側風路形成部分３６、本体側軸受け部３８、及び、本体側モータ支持部３９の夫々によって、ファン本体による通風路の一部を形成するための通風路形成部分が構成されることになる。又、前記ファンケーシング３１が、前記各部にて構成される本体側の通風路形成部分が覆うファン本体３０の外方側の一部以外の他の部分を覆うとともに、本体側の通風路形成部分にて形成される通風路の一部以外の他の部分を形成するように構成されることになる。
【００３９】
上記構成により、前記ファンユニット３３をメンテナンスのために取り外す場合には、図６に示すように、熱交換器９及び先端側吹き出し筒部２４を取り外した後に、前記ファンユニット３３を取り外すことになるが、前記熱交換器９を取り外す場合、前記各ブラケット５０，５２によるネジ止めを解除するとともに、温水通水用の配管の接続も解除する必要がある。
そして、図１２に示すように、ファンケーシング３１を先に取り外した後、ファン本体３０と電動モータ３２とを片方の手で支持しながら保持具４３の保持状態を解除して、本体側軸受け部３８から回転軸３５を抜き外して前記ファン本体３０と電動モータ３２とを両手で支持しながら取り外すのである。メンテナンス作業後に取付けるときは、ファン本体３０と電動モータ３２とを両手で支持しながら、回転軸３５を本体側軸受け部３８の軸受け部材３７に差し込み挿入して保持具４３によりモータ連結側個所を仮止め保持しておき、ファンケーシング３１を取付けることで対応できる。そして、熱交換器９及び先端側筒部２４を取り付けた後に、グリル板６を取り付けることになる。
【００４２】
〔別実施形態〕
（１）上記実施形態では、外部の熱源機Ｋから熱媒としての温水が供給されて、循環用通風路を通風する空気を加熱する熱交換器９を設けるように構成しているが、この熱交換器９に加えて、電力の供給により加熱される電気ヒータを併設してもよく、また、電気ヒータのみにより循環用通風路を通風する空気を加熱するように構成してもよい。
【００４３】
（２）上記実施形態では、浴室Ａの天井１側に浴室暖房乾燥ユニットＹを設置するように構成しているが、設置場所は、天井１側に限られるものではなく、浴室Ａ内の側面部でもよい。
【００４４】
（３）上記実施形態では、暖房運転の他に、乾燥運転、換気運転、涼風運転のそれぞれの運転機能を備えるように構成しているが、暖房運転の機能を備えているものであればよく、暖房運転と乾燥運転のみや、暖房運転、乾燥運転、換気運転のそれぞれの運転機能を備えるようにしてもよい。
【図面の簡単な説明】
【図１】浴室暖房機を設けた浴室の斜視図
【図２】浴室暖房機の斜視図
【図３】浴室暖房機の縦断側面図
【図４】リモコン操作部の正面図
【図５】浴室暖房機の底面図
【図６】ファンユニットの取り外し状態を示す側面図
【図７】ファンユニットの取り付け状態を示す側面図
【図８】仮止め支持部分を切欠側面図
【図９】仮止め支持状態を示す説明図
【図１０】ファン本体の電動モータ連結側部分の切欠正面図
【図１１】ファン本体の他端側支持部分の切欠正面図
【図１２】ファンユニットの取り付け状態を示す分解斜視図
【図１３】先端側筒部の装着状態を示す動作説明図
【図１４】先端側筒部の装着状態を示す正面図
【符号の説明】
３ａ            本体ケーシング
９              加熱手段
３０            ファン本体
３１            ファンケーシング
３２            電動モータ
３４，３５      回転軸
３８            軸受け部
４３            保持具
【図１】
0004408522.tif 000002
【図２】
0004408522.tif 000003
【図３】
0004408522.tif 000004
【図４】
0004408522.tif 000005
【図５】
0004408522.tif 000006
【図６】
0004408522.tif 000007
【図７】
0004408522.tif 000008
【図８】
0004408522.tif 000009
【図９】
0004408522.tif 000010
【図１０】
0004408522.tif 000011
【図１１】
0004408522.tif 000012
【図１２】
0004408522.tif 000013
【図１３】
0004408522.tif 000014
【図１４】
0004408522.tif 000015